(57)【要約】【課題】  表示画面中に黒画面を挿入した場合、液晶パネルの映像特性に悪影響が生じることがあった。【解決手段】  フラットディスプレイパネルを駆動するドライバーにおいて、黒及び白レベルの間の任意の階調を指示する任意階調データ信号を受け、当該任意階調データ信号によって定まる画面を表示画面中に挿入するドライバーが得られる。このため、ドライバー内には、任意階調データ信号を保持する階調レジスタが設けられ、任意階調データ信号は当該階調レジスタからタイミング制御回路の制御の下に、フラットディスプレイパネルに送出、表示される。【選択図】      図３
2005043829.tif 000002
【特許請求の範囲】
【請求項１】
フラットディスプレイ用ドライバーにおいて、任意の階調を指示する任意階調データ信号を保持する階調レジスタ及び前記任意階調データ信号を出力する出力手段とを備えていることを特徴とするフラットディスプレイ用ドライバー。
【請求項２】
請求項１において、前記階調レジスタに保持された前記任意階調データ信号の出力タイミングを制御するタイミング制御回路を有することを特徴とするフラットディスプレイ用ドライバー。
【請求項３】
請求項１又は２において、前記任意階調データ信号によってあらわされる階調は黒レベルと白レベルとの間で可変できることを特徴とするフラットディスプレイ用ドライバー。
【請求項４】
請求項２又は３において、前記タイミング制御回路は前記任意階調データ信号によって形成される画面が表示画面と交互に１フレームおきに挿入されるように、前記任意階調データ信号の出力タイミングを制御することを特徴とするフラットディスプレイ用ドライバー。
【請求項５】
請求項２又は３において、前記タイミング制御回路は、隣接するフレームの表示画面内において互いに相補的な位置に表示されるように、前記任意階調データ信号によって形成される任意階調画面が挿入されるように、前記任意階調データ信号の出力タイミングを制御することを特徴とするフラットディスプレイ用ドライバー。
【請求項６】
請求項１乃至５のいずれかにおいて、前記フラットディスプレイ用ドライバーは液晶ディスプレイ用のドライバーであることを特徴とするフラットディスプレイ用ドライバー。
【請求項７】
請求項２において、更に、前記任意階調データ信号以外のデータ信号を格納するデータレジスタを備え、前記出力手段は前選択するセレクタを備え、前記セレクタは前記タイミング制御回路からのタイミング信号によって、前記任意階調レジスタと前記データレジスタの出力を選択することを特徴とするフラットディスプレイ用ドライバー。
【請求項８】
請求項７において、前記任意階調データ信号は黒以外の赤系、青系、及び、緑系の階調を指示していることを特徴とするフラットディスプレイ用ドライバー。
【請求項９】
フラットディスプレイをドライバーによって駆動し、画面を表示する方法において、任意階調をあらわす任意階調データ信号を格納しておき、表示すべきデータ信号が無い場合、前記ドライバーから前記データ信号の代わりに、前記任意階調データ信号を読出し、任意階調画面を画面を表示することを特徴とする画面表示方法。
【発明の詳細な説明】
【技術分野】
【０００１】
本発明はフラットパネルディスプレイ用ドライバーに関し、特に、液晶ディスプレイ用ドライバー及びその駆動方法に関する。
【背景技術】
【０００２】
一般に、フラットパネルディスプレイ装置として、液晶ディスプレイ装置、プラズマディスプレイパネル、有機或いは無機ＥＬ等、種々の表示装置が提案されている。これらフラットディスプレイ装置、特に、液晶ディスプレイ装置では、フレーム周期で表示画面を順次切り換えた場合、１つの表示画面はフレーム周期で定まる期間保持され、表示画面が保持されている状態で、次の画面が表示されると、人間はその視覚特性により、前の画面と次の画面の双方を重ね合わせて認識してしまい、好ましくない残像感が生じると言う現象が指摘されている。特に、動画表示の際に、その動画中に応答速度の速い部分と遅い部分とが混在すると、画像歪が生じてしまい、残像感が大きくなることも指摘されている。
【０００３】
このような残像感を解消するために、特開２００１−４２２８２号公報（特許文献１）では、表示画面中に、適当な間隔で黒画面を挿入することが提案されている。特に、隣接フレームにおいて、黒画面と表示画面とが交互に入れ替わるように駆動する液晶表示装置及びその駆動方法が開示されている。
【０００４】
更に、特許文献１には、表示画面に黒画面を挿入して、液晶パネルを駆動する液晶パネル用駆動回路（即ち、データドライバー）も提案されている。提案されたデータドライバーは、本来の表示画面とは異なる黒画面を構成する黒データを生成する為に、表示画面を構成する表示データをラッチするラッチ回路及び当該ラッチ回路のラッチ出力に接続されたＡＮＤ回路とを備え、当該ＡＮＤ回路に対して、ＳＥＴパルスがローの場合に、全ての出力をローにして黒画面を出力し、ＳＥＴパルスがハイの時はラッチ回路に蓄えられた表示データを出力している。
【特許文献１】特開２００１−４２２８２号公報
【発明の開示】
【発明が解決しようとする課題】
【０００５】
一方、本発明者等の研究によれば、この種のフラットパネルディスプレイ装置、特に、液晶ディスプレイ装置では、表示画面中に黒画面を挿入しても、必ずしも最適な映像が得られるとは限らないことが判明した。例えば、黒画面の挿入によって、液晶ディスプレイ装置を構成する液晶セルに対する黒画面の挿入によって輝度が劣化することがあり、この輝度劣化は各液晶ディスプレイ装置毎に異なることがあった。このことは、液晶ディスプレイ装置を構成する液晶パネル自身の特性等によって、最適な映像が液晶ディスプレイ装置毎に相違していることを意味している。
【０００６】
前述した特許文献１は、黒画面を一義的に表示画面中に挿入することによって動画像の表示を改善することのみを開示しており、表示画面中に黒画面を挿入することによって、各フラットパネルディスプレイ毎に最適映像が異なると云う事実、最適映像が異なることによる問題点、及び、その解決法について何等指摘していない。特に、黒画面の挿入によって映像の輝度に劣化が生じる液晶ディスプレイ装置が存在することについて、特許文献１は開示していない。
【０００７】
本発明の目的は個々のフラットパネルディスプレイ装置、特に、液晶ディスプレイ装置において黒画面の挿入によッて生じる悪影響を軽減できるフラットディスプレイ用ドライバーを提供することである。
【０００８】
本発明の他の目的は液晶ディスプレイ装置において動画像を表示した場合、輝度を劣化を補償できる液晶ディスプレイ用ドライバーを提供することである。
【０００９】
本発明の更に他の目的はフラットパネルディスプレイ装置の映像特性を考慮して、当該フラットパネルディスプレイ装置の映像特性を調整することができる映像特性の調整方法を提供することである。
【課題を解決するための手段】
【００１０】
本発明の一態様によれば、フラットディスプレイ用ドライバーにおいて、任意の階調を与える任意階調データ信号を格納する階調レジスタを備えていることを特徴とするフラットディスプレイ用ドライバーが得られる。この場合、ドライバーは前記階調レジスタに保持された任意階調データ信号の出力タイミングを制御するタイミング制御回路をも有している。
【００１１】
前記階調レジスタに対して、前記任意の階調を与える階調データ信号を供給する信号生成手段が設けられても良い。
【００１２】
本発明の他の態様によれば、フラットディスプレイをドライバーによって駆動し、画面を表示する方法において、表示すべきデータ信号が無い場合、前記ドライバーから任意階調画面を出力し、当該任意階調の画面を表示することを特徴とする画面表示方法が得られる。
【発明の効果】
【００１３】
本発明は個別のフラットディスプレイパネルの映像特性に応じた階調のデータ信号を挿入することにより、個別のパネルに最適な映像特性を実現できると云う利点がある。特に、本発明では、挿入される階調を変化させることにより、映像特性の調整を行うことができると云う利点もある。
【発明を実施するための最良の形態】
【００１４】
図１を参照すると、本発明を適用できるフラットディスプレイが示されており、ここでは、液晶ディスプレイ装置が例示されている。図示された液晶ディスプレイ装置は液晶パネル２０と、当該液晶パネル２０を駆動する駆動回路モジュール２１とを含んでいる。ここで、液晶パネル２０はＮ×Ｍ（Ｎ，Ｍは正整数）の表示素子を備えており、ＸＧＡの場合、Ｎ×Ｍは（１０２４×３) ×７６８である。
【００１５】
図２を参照すると、図１に示された液晶パネル２０の一部が示されている。図２に示すように、液晶パネル２０を構成する表示素子はマトリックス状に配列されたＴＦＴ３０を備え、各ＴＦＴ３０は走査ライン３１に接続されたゲート電極、データライン３２に接続されたドレイン電極とを備えている。また、この例では、ＴＦＴ３０のソース電極における容量３３を使用しており、当該各ＴＦＴ３０のソース電極は液晶セル３５と結合され、液晶セル３５上には、共通電極（ＣＯＭ）３７が設けられている。
【００１６】
この構成を有する液晶パネル２０は図１に示された駆動回路モジュール２１によって駆動される。図１に示されているように、駆動回路モジュール２１は制御回路４０、本発明に係るデータドライバー（即ち、液晶ディスプレイ用ドライバー）４１、走査線駆動部４２、及び、共通（ＣＯＭ）電圧発生回路４３とを含み、走査線駆動部４２及びドライバー４１は走査ライン３１及びデータライン３２を介して液晶表示パネル２０に接続されている。また、ＣＯＭ電圧発生回路４３は液晶表示パネル２０の共通電極ＣＯＭ３７に接続されており、当該ＣＯＭ電圧発生回路４３からは、通常、一定電位の信号がＣＯＭ電極に与えられている。
【００１７】
具体的に説明すると、制御回路４０は映像データを受け、当該映像信号をあらわすデータ信号をデータドライバー４１を介して、各データライン３２に出力する一方、走査線駆動部４２を制御することにより、走査ライン３１を順次選択させる。この例では、ＣＯＭ電圧発生回路４３には、一定電圧が与えられるものとして説明するが、前述した特許文献１に記述されているように、液晶セル３５の構成によっては、電位を制御する構成が採用されても良い。
【００１８】
更に、図示された制御回路４０には、映像データのほかに、任意階調をあらわす任意階調データが外部回路４５から与えられ、制御回路４０は映像データと任意階調データとを識別する機能を備えている。
【００１９】
ここで、外部回路４５から与えられる任意階調データについて説明しておく。特許文献１に記述されているように、データ画面、即ち、表示画面中に、適当な間隔で、黒画面を挿入することにより、動画を表示する際における残像感を軽減できるが、本発明者等の研究によれば、液晶パネル２０毎に映像特性が異なるため、黒画像を挿入しても映像の輝度が劣化してしまう液晶パネル２０も存在することが確認された。
【００２０】
本発明は、上記した点を考慮して、黒画面の代わりに任意階調の画面を挿入することによって、個々の液晶パネル２０の映像特性に最適な映像の表示を可能にすることを企図している。このように、任意階調画面の挿入によって、黒画面の挿入による映像輝度の劣化をも軽減できることが判明した。このため、図１に示された制御回路４０には、任意階調の画面を表示する任意階調データが外部回路４５から与えられている。尚、外部回路４５はＲ、Ｇ、Ｂ成分を調整するボタン等を備え、任意の階調を設定できるものとする。即ち、図示された例では、任意階調データであらわされる階調は外部回路４５を調整することにより可変できる。外部回路４５は例えば、画像処理部のカラー補正回路である。
【００２１】
図３をも参照して、本発明の一実施形態に係るデータドライバー４１の原理的な構成を概略的に説明する。図示されたデータドライバー４１は、映像データをあらわすデータ信号をシフトレジスタ等の指定により、指定された位置に順次格納する映像用データレジスタ５０、制御回路４０からの制御信号を受けて、タイミング制御を行うタイミング制御回路５１、出力レジスタ５２、Ｄ／Ａ変換回路５３、及び、増幅器によって構成された出力回路５４とを備えている。出力回路５４は液晶パネル２０のデータライン３２に接続されている。ここで、映像用データレジスタ５０、出力レジスタ５２、Ｄ／Ａ変換器５３、及び、出力回路５４としては、従来と同様なものを使用できるから、ここでは、詳述しない。
【００２２】
図３に示されたデータドライバー４１は、更に、制御回路４０から与えられる任意階調をあらわす任意階調データ信号を格納する任意階調データレジスタ６０を備えている。
【００２３】
任意階調データレジスタ６０は制御回路４０に接続される一方、データドライバー４１内部に設けられたタイミング制御回路５１に接続され、タイミング制御回路５１の制御の下に任意階調データ信号を格納し、且つ、出力レジスタ５２に出力する。
【００２４】
この構成では、制御回路４０から与えられた所定の階調をあらわす任意階調データ信号はタイミング制御回路５１から与えられるタイミングで、出力レジスタ５２に送出され、以後、Ｄ／Ａ変換器５３及び出力回路５４を介して、データライン３２上に出力される。
【００２５】
図示された例では、任意階調データ信号は黒画面をあらわす黒画像データ信号の代わりに出力されるものとする。この場合、タイミング制御回路５１は特許文献１に記載された黒画面の挿入タイミングと同様のタイミングで任意階調画面を挿入することができる。
【００２６】
例えば、タイミング制御回路５１は隣接フレームで任意階調画面とデータ画面とが交互に入れ替わるようなタイミングで、任意階調データレジスタ６０に任意目標階調データ信号を出力レジスタ５２に送出させ、当該任意階調データ信号をＤ／Ａ変換器５３により任意階調をあらわす電圧を出力させる。これにより、任意階調の画面を１フレームおきに挿入、表示することができる。
【００２７】
また、特許文献１に記述されているように、タイミング制御回路５１は、各フレームにおける表示画面を上下及び／又は左右に２つ以上の領域に分割し、当該分割された領域における表示を隣り合うフレーム毎に交互に切り替えるようなタイミングで、任意階調データ信号を任意階調データレジスタ６０からデータ信号の代わりに出力するように制御しても良い。この場合にも、表示画面の分割された領域に、黒レベルの代わりに任意階調レベルが表示され、当該任意階調レベルの領域はフレーム毎に変化することになる。表示画面の分割及び分割領域を変化させることは上記した特許文献１に記載されているので、ここでは説明を省略する。
【００２８】
次に、図４を参照して、本発明に係るデータドライバー４１をより具体的に説明する。図４に示された制御回路４０は、映像データ及び任意階調データを受けて、映像データ信号及び任意階調データ信号をデータドライバー４１に対して共通のデータバスを介して出力する一方、両データ信号を識別して各データ信号を応じた制御信号をデータドライバー４１に出力する。これら映像データ信号及び任意階調データ信号は画素単位、即ち、ドット単位で与えられるものとし、各画素はＲＧＢ（赤、緑、青）の各色からなっているものとする。ＲＧＢの各色はそれぞれ所定の階調数を持ち、このため、ＲＧＢはそれぞれ所定のビット数（例えば、８ビット又は６ビット等）によってあらわされているものとする。したがって、ここでは、画素に対応したデータ信号をデータ単位と呼ぶ。更に、図４では、スタート信号ＳＴ及びクロック信号ＣＬも制御回路４０からデータドライバー４１に出力されている。
【００２９】
図示されているように、データドライバー４１はスタート信号ＳＴ及びクロック信号ＣＬを受けて動作するシフトレジスタ４１２を備えている。このシフトレジスタ４１２は例えば、縦続接続された複数段のＤＦＦ（Ｄ型フリップフロップ）によって構成されており、水平同期信号によって生成されるスタート信号ＳＴによって初期化され、以後、クロック信号ＣＬを受けると、１つのＤＦＦだけが”１”に設定され、残りのＤＦＦは”０”状態を維持する動作を行う。シフトレジスタ４１２における”１”の状態はクロック信号ＣＬに応じて循環し、この”１”の状態をあらわす信号は各ＤＦＦからは順次位置指示信号として出力される。
【００３０】
シフトレジスタ４１２で生成された位置指示信号はデータドライバー４１内の映像用データレジスタ５０及び任意階調データレジスタ６０に与えられ、これらレジスタ５０及び６０をアクティブ状態、即ち、データを格納可能な状態にする。更に、映像用データレジスタ５０及び任意階調データレジスタ６０とは共通のバスによって制御回路４０に接続されている。
【００３１】
これらレジスタのうち、映像用データレジスタ５０はシフトレジスタ４１２の各段に接続された複数段のステージを備え、映像用データレジスタ５０の各ステージはシフトレジスタ４１２からの位置指示信号にしたがって、順次、アクティブ状態になり、画素単位のデータ信号を格納する。
【００３２】
他方、任意階調データレジスタ６０は画素単位のデータ信号、即ち、単位データ信号を格納するレジスタであり、この例では、説明を容易にするためにＲ、Ｇ、Ｂ段に区分して示されている。この任意階調データレジスタ６０はシフトレジスタ４１２の特定段（例えば、第１段）に接続され、この結果、特定段に対応する画素単位のデータ信号を格納する。この例では、任意階調データレジスタ６０はシフトレジスタ４１２の第１段に接続されている。
【００３３】
更に、映像用データレジスタ５０及び任意階調データレジスタ６０はタイミング制御回路５１に接続されており、当該タイミング制御回路５１から与えられるタイミング信号により選択的にアクティブ状態になる。
【００３４】
タイミング制御回路５１からのタイミング信号により、映像用データレジスタ５０がアクティブ状態にある場合、制御回路４０からのデータ信号がシフトレジスタ４１２からの位置指示信号にしたがって、映像用データレジスタ５０の各ステージにデータ単位で順次格納され、他方、任意階調データレジスタ６０がアクティブ状態にある場合には、制御回路４０からの任意階調データ信号がシフトレジスタ４１２からの位置指示信号にしたがって、データ単位で任意階調データレジスタ６０に格納される。
【００３５】
図示された映像用データレジスタ５０は水平走査方向の映像をあらわすデータ信号を位置指示信号にしたがって順次格納する。実際には、映像用データレジスタ５０は複数のレジスタを含み、これら複数のレジスタに一水平走査分のデータ信号を格納する。
【００３６】
セレクタ６２は任意階調データレジスタ６０に接続されると共に、映像用データレジスタ５０の対応する段に接続された複数のセレクタユニットによって構成されており、タイミング制御回路５１から与えられるタイミング制御信号として与えられる選択信号によって、任意階調データレジスタ６０又は映像用データレジスタ５０の出力を選択し、選択された出力を出力レジスタ５２に送出する。
【００３７】
次に、シフトレジスタ４１２がスタート信号ＳＴ及びクロック信号ＣＬを受けて動作状態にあるものとして、データドライバー４１の動作を説明する。まず、制御回路４０にデータ信号が与えられている状態では、制御回路４０は通常のデータ信号であることをあらわす制御信号をタイミング制御回路５１に出力している。この場合、タイミング制御回路５１は映像用データレジスタ５０をアクティブ状態にするタイミング信号を出力している。この状態で、制御回路４０からのデータ信号はシフトレジスタ４１２の位置指示信号にしたがって、データ信号は映像用データレジスタ５０の各ステージにデータ単位で格納される。
【００３８】
一方、制御回路４０に任意階調データ信号が与えられると、制御回路４０は任意階調データ信号であることを判定して、任意階調データ信号であることを示す制御信号をタイミング制御回路５１に出力する。当該制御信号を受けると、タイミング制御回路５１は任意階調データレジスタ６０をアクティブ状態にして、制御回路４０からの任意階調データ信号は任意階調データレジスタ６０に格納される。
【００３９】
映像用データレジスタ５０及び任意階調データレジスタ６０の出力はそれぞれ対応するセレクタ６２のセレクタユニットに供給されている。セレクタ６２を構成するセレクタユニットはタイミング制御回路５１からのタイミング信号によって制御されており、映像用データレジスタ５０又は任意階調データレジスタ６０の出力を選択する。
【００４０】
即ち、通常のデータ信号を液晶パネル２０に表示する場合には、タイミング制御回路５１からのタイミング信号によって、映像用データレジスタ５０に格納されたデータ信号がセレクタ６２によって順次選択され、出力レジスタ５２、Ｄ／Ａ変換器５３、及び、出力回路５４を介して液晶パネル２０に送出され、通常の表示画面が液晶パネル２０に表示される。したがって、この状態でタイミング制御回路５１からセレクタ６２に与えられるタイミング信号は通常データ信号の表示モード中、継続的に出力されている。
【００４１】
他方、任意階調データ信号を液晶パネル５０に表示する場合、任意階調データ信号であることを示す制御信号が制御回路４０からタイミング制御回路５１に出力され、タイミング制御回路５１はセレクタ６２に任意階調データレジスタ６０を選択することを指示するタイミング信号を出力する。任意階調データレジスタ６０はデータレジスタ５０のステージ数に応じた数のセレクタユニットに接続されており、任意階調データ信号は各画素毎に、セレクタ６２によって順次選択され、出力レジスタ５２に出力され、任意階調レベルの画面がＤ／Ａ変換器５３及び出力回路５４を介して液晶パネル２０に表示される。
【００４２】
即ち、セレクタ６２の各セレクタユニットで任意階調データレジスタ６０の出力が選択された場合、そのＲＧＢ段に格納された任意目標階調データ信号が出力レジスタ５２からＤ／Ａ変換器５３に出力され、Ｄ／Ａ変換器５３は任意目標階調データ信号を基準電圧信号Ｖｒｅｆに基づいて、目標階調に対応するアナログ階調信号に変換して、アナログ階調信号を出力回路５４及び液晶表示パネル２０にデータライン３２を介して供給する。
【００４３】
この構成では、タイミング制御回路５１からセレクタ６２及び／又はＤ／Ａ変換器５３に与えられるタイミング信号の継続時間を制御することによって、任意階調画面の挿入時間をコントロールすることができる。例えば、任意階調画面と表示画面とを１フレームおきに交互に表示する場合、タイミング制御回路５１は１フレームおきに任意階調データレジスタ６０を選択するようなタイミング信号をセレクタ６２又はＤ／Ａ変換器５３に出力し、これによって、当該レジスタ６０の出力である任意階調データ信号を液晶パネル２０に出力すれば良い。また、１フレーム内で、任意階調画面と表示画面とを切り替える場合には、画面の切り替えタイミングに応じたタイミング制御信号をタイミング制御回路５１からセレクタ６２又はＤ／Ａ変換器５３に出力すれば良い。任意階調画面の挿入時間位置は前述した特許文献１に示された黒画面の挿入時間位置と同様であるので、ここでは、説明を省略する。
【００４４】
図４に示されたデータドライバー４１では、任意階調データレジスタ６０に供給される任意階調データ信号を変化させることにより、各液晶パネル２０の映像特性に応じた最適な映像が得られる階調を決定することができる。また、タイミング制御回路５１におけるタイミング信号を変化させることにより、任意目標階調画面のパターンを変化させることも可能である。
【００４５】
ここで、通常のデータ信号に挿入される任意階調データ信号について説明しておく。任意階調データ信号は制御回路４０の上位に設けられた画像処理部のカラー補正回路等で決定される。この場合、任意階調データ信号の値は液晶パネル２０の色再現性等の特性及び目的に応じて選択され、動画特性を改善する場合には黒に近い値が選ばれ、他方、単一色を表示する場合には青系或いは赤系の値が選択されても良い。
【実施例１】
【００４６】
任意階調データ信号の選択方法に関する実験結果の一例を説明する。液晶パネル２０に表示される黒及び白データ信号が１６進でそれぞれ（Ｒ＝ＦＦＨ，Ｇ＝ＦＦＨ，Ｂ＝ＦＦＨ）及び（Ｒ＝００Ｈ，Ｇ＝００Ｈ，Ｂ＝００Ｈ）であらわされ、このとき、黒データ信号（Ｒ＝ＦＦＨ，Ｇ＝ＦＦＨ，Ｂ＝ＦＦＨ）を挿入することによって動画特性が改善された。しかしながら、黒データ信号の挿入によって映像の輝度が低下してしまう液晶パネル２０があった。この液晶パネル２０に対して（Ｒ＝Ｆ０Ｈ，Ｇ＝Ｆ０Ｈ，Ｂ＝Ｆ０Ｈ）の値を持つ任意階調データ信号を挿入することにより、輝度の低下なしに動画特性を改善することができた。
【００４７】
このことからも明らかな通り、液晶パネル２０の特性及び／又は映像の種類に応じて、任意階調データ信号のレベルを設定することにより、動画特性以外の特性をも改善することができる。
【００４８】
図４に示した例では、タイミング制御回路５１から制御信号として与えられるタイミング信号に応じて、映像用データレジスタ５０及び任意階調データレジスタ６０は選択的に動作状態となるものとして説明したが、任意階調データレジスタ６０は映像用データレジスタ５０と同時的にアクティブ状態になるように構成されても同様な動作が可能である。
【００４９】
更に、上に説明した実施形態では、液晶パネルの映像特性に応じて任意階調データ信号を表示画面に挿入する場合についてのみ説明したが、本発明に係るデータドライバーは何等これに限定されることなく、液晶パネルの映像特性の調整等にも適用できる。
【００５０】
具体的に説明すると、従来、テレビジョン放送が終了してしまうと、視聴者のテレビ画面にはノイズが現れるだけであるが、放送終了後に、任意階調データ信号をデータドライバーから液晶パネルに出力することによって、映像特性の調整を行うことも可能である。この場合に挿入される任意階調データ信号は青系、赤系、或いは、緑系の値を持つ信号を使用することができる。
【産業上の利用可能性】
【００５１】
上記した実施形態は液晶ディスプレイ装置を例にとって説明したが、本発明は表示素子をマトリックス状に配列した他のフラットパネル、例えば、ＰＤＰ、有機ＥＬ、或いは、無機ＥＬ等にも適用可能である。
【図面の簡単な説明】
【００５２】
【図１】本発明に係る液晶ディスプレイ装置の全体構成を説明するブロック図である。
【図２】図１に示された液晶パネルの概略構成を示す図である。
【図３】本発明の一実施形態に係るデータドライバーの原理的な構成を示すブロック図である。
【図４】本発明に係るデータドライバーを具体的に説明するブロック図である。
【符号の説明】
【００５３】
２０                      液晶パネル
２１                      駆動回路モジュール
３０                      ＴＦＴ
３１                      走査線
３２                      データライン
４０                      制御回路
４１                      データドライバー
４２                      走査線駆動部
４３                      ＣＯＭ電圧発生回路
５０                      映像用データレジスタ
５１                      タイミング制御回路
５２                      出力レジスタ
５３                      Ｄ／Ａ変換器
５４                      出力回路
【図１】
2005043829.tif 000003
【図２】
2005043829.tif 000004
【図３】
2005043829.tif 000005
【図４】
2005043829.tif 000006